(57)【要約】【課題】  撮影機能を備える、携帯端末装置等の電子機器に関し、撮影対象が人である場合に、盗撮等、合意なき撮影からの被写体の防護機能を強化する。【解決手段】  撮影機能を備える電子機器（携帯端末装置２、ＰＤＡ１０８、電子カメラ１１０）であって、撮影対象が人であるか否かを判定する対象判定部（撮影制御部６）と、前記対象判定部の判定結果に基づき、前記撮影対象が人である場合に、撮影可否の問合せ情報を発し、該問合せ情報により撮影対象に撮影の可否を問う撮影問合せ部（撮影可否問合せ部１２）とを含む構成であり、撮影対象から発せられた応答情報を取得する応答情報取得部（１４）と、前記問合せ情報に対応し、前記応答情報取得部が取得した前記応答情報に基づいて、前記撮影対象の撮影を許可することを表す撮影許可情報、又は前記撮影対象の撮影を禁止することを表す撮影禁止情報を出力する撮影制御部（６）とを含む構成である。【選択図】        図１
2006352257.tif 000002
【特許請求の範囲】
【請求項１】
撮影機能を備える電子機器であって、
撮影対象が人であるか否かを判定する対象判定部と、
前記対象判定部の判定結果に基づき、前記撮影対象が人である場合に、撮影可否の問合せ情報を発し、該問合せ情報により撮影対象に撮影の可否を問う撮影問合せ部と、
を含むことを特徴とする電子機器。
【請求項２】
撮影機能を備える電子機器であって、
撮影可否の問合せ情報を発し、該問合せ情報により撮影対象に撮影の可否を問う撮影問合せ部と、
前記撮影対象から発せられた応答情報を取得する応答情報取得部と、
前記問合せ情報に対応し、前記応答情報取得部が取得した前記応答情報に基づいて、前記撮影対象の撮影を許可することを表す撮影許可情報、又は前記撮影対象の撮影を禁止することを表す撮影禁止情報を出力する撮影制御部と、
を含むことを特徴とする電子機器。
【請求項３】
請求項１に記載の電子機器において、
前記撮影対象から生体情報を取得する生体情報取得部を備え、
前記対象判定部は、前記生体情報取得部で取得された前記生体情報から、前記撮影対象が人であるか否かを判定する構成であることを特徴とする電子機器。
【請求項４】
撮影機能を備える電子機器の撮影制御方法であって、
撮影対象が人であるか否かを判定する処理と、
前記判定の結果に基づき、前記撮影対象が人である場合に、撮影可否の問合せ情報を発し、該問合せ情報により撮影対象に撮影の可否を問う処理と、
を備えたことを特徴とする電子機器の撮影制御方法。
【請求項５】
コンピュータに実行され、撮影機能を備える電子機器の撮影制御プログラムであって、
撮影対象が人であるか否かを判定するステップと、
前記判定の結果に基づき、前記撮影対象が人である場合に、撮影可否の問合せ情報を発し、該問合せ情報により撮影対象に撮影の可否を問うステップと、
を備えたことを特徴とする電子機器の撮影制御プログラム。
【発明の詳細な説明】
【技術分野】
【０００１】
本発明は、撮影機能を備える携帯端末装置等の電子機器に関し、特に、人の盗撮や合意なき撮影の防止機能を備える電子機器、撮影制御方法及び撮影制御プログラムに関する。
【背景技術】
【０００２】
カメラ機能を備える携帯端末装置等の電子機器では、撮影時にシャッター音等の撮影確認音を発することにより、撮影行為があったことを周囲に告知している。撮影確認音は撮影があったことを示しているにすぎない。このため、撮影時に、被写体に対して撮影拒否の意思表示の機会を与え、盗撮阻止や、盗撮を思い止まらせる契機を与える技術が提案されている。
【０００３】
このような撮影に関する技術に関し、撮影予告信号の出力から所定時間の経過後に撮影開始を可能にしたもの（例えば、特許文献１）、被写体である発言者からの音声を認識し、撮影拒否を表す音声を認識することにより、その発言者が撮影に入らないように撮影方向や画角を変更するもの（例えば、特許文献２）等が存在する。
【特許文献１】特開２００１−２３１０３０号公報（要約、段落番号００２１、図１等）
【特許文献２】特開２０００−４４３５号公報（段落番号００２１、図１、図２等）
【発明の開示】
【発明が解決しようとする課題】
【０００４】
ところで、撮影後に撮影されたことを告知しても、撮影されたものが人物か風景か等、撮影対象が特定し難いこと、被撮影者が撮影データの消去を望んでも、困難な場合が多い。また、撮影確認音が発せられても、被撮影者の意思に関係なく、撮影が進行するという問題がある。
【０００５】
そして、特許文献１に開示された技術においても、撮影予告信号の出力後、所定時間が経過したとき、撮影が開始されており、撮影拒否や撮影禁止に至るものではない。また、特許文献２に開示された技術では、被写体から撮影拒否の音声が発せられたとき、その音声を認識し、発言者が撮影範囲に入らないように撮影方向や画角を変更しているにすぎない。いずれにしても、撮影を拒否する者が撮影されるおそれがある。
【０００６】
そこで、本発明の課題は、撮影機能を備える、携帯端末装置等の電子機器に関し、撮影対象が人である場合に、盗撮等、合意なき撮影からの被写体の防護機能を強化することにある。
【課題を解決するための手段】
【０００７】
上記課題を解決するための本発明の各側面を列挙して説明する。
【０００８】
本発明の第１の側面は、撮影機能を備える電子機器であって、撮影対象が人であるか否かを判定する対象判定部と、前記対象判定部の判定結果に基づき、前記撮影対象が人である場合に、撮影可否の問合せ情報を発し、該問合せ情報により撮影対象に撮影の可否を問う撮影問合せ部とを含む構成である。
【０００９】
電子機器には、携帯端末装置、ディジタルカメラ等、撮影機能を備えるものが含まれる。対象判定部では撮影対象が人であるか否かが判定され、この判定結果に基づき、撮影対象が人である場合には、撮影問合せ部から撮影対象に対し、撮影可否の問合せ情報が発せられる。この問合せ情報が発せられると、被写体となる人に対しては、撮影されることを喚起させることができ、また、撮影者に対しては、盗撮を思い止まらせる契機を提供することができる。即ち、撮影に対し、盗撮等の合意なき撮影を防止し、被写体に合意を得て撮影をすることができる。
【００１０】
この電子機器において、好ましくは、前記撮影対象から生体情報を取得する生体情報取得部を備え、前記対象判定部は、前記生体情報取得部で取得された前記生体情報から、前記撮影対象が人であるか否かを判定する構成としてもよい。撮影対象が人であるか否かを判定する情報には種々のものが存在するが、この発明では、一例として撮影対象から生体情報を取得し、この生体情報が取得できたか否かで人であるか否かを判定する。
【００１１】
本発明の第２の側面は、撮影機能を備える電子機器であって、撮影可否の問合せ情報を発し、該問合せ情報により撮影対象に撮影の可否を問う撮影問合せ部と、前記撮影対象から発せられた応答情報を取得する応答情報取得部と、前記問合せ情報に対応し、前記応答情報取得部が取得した前記応答情報に基づいて、前記撮影対象の撮影を許可することを表す撮影許可情報、又は前記撮影対象の撮影を禁止することを表す撮影禁止情報を出力する撮影制御部とを含む構成である。
【００１２】
斯かる構成によれば、撮影対象が人であるか否かに関係なく、撮影問合せ部から撮影可否の問合せ情報が発せられ、この問合せ情報により撮影対象に撮影の可否が問われる。この問合せ情報を受けた撮影対象から応答情報が発せられた場合には、この応答情報は応答情報取得部に取得される。そこで、撮影制御部では、撮影問合せ部から発せられた問合せ情報に対応し、応答情報取得部が取得した応答情報に基づき、撮影対象の撮影を許可することを表す撮影許可情報、又は撮影対象の撮影を禁止することを表す撮影禁止情報を出力する。電子機器には、携帯端末装置、ディジタルカメラ等、撮影機能を備えるものが含まれる。この結果、撮影許可情報を出力する場合には、撮影動作や撮影画像の取込み、また、撮影禁止情報を出力する場合には、撮影動作の抑止や撮影画像の取込み阻止又はその破棄を行う。
【００１３】
本発明の第３の側面は、撮影機能を備える電子機器の撮影制御方法であって、撮影対象が人であるか否かを判定する処理と、前記判定の結果に基づき、前記撮影対象が人である場合に、撮影可否の問合せ情報を発し、該問合せ情報により撮影対象に撮影の可否を問う処理とを備えた構成である。
【００１４】
斯かる構成とすれば、撮影対象が人であるか否かを判定し、撮影対象が人である場合には撮影可否の問合せ情報を発し、この問合せ情報を契機として撮影の可否を問う。即ち、人であるか否かの判定と、撮影の問合せ情報の発信との処理の連鎖により、被写体となる人に対しては、撮影されることを喚起し、また、撮影者に対しては、盗撮行為を思い止まらせる契機になる。
【００１５】
本発明の第４の側面は、コンピュータに実行され、撮影機能を備える電子機器の撮影制御プログラムであって、撮影対象が人であるか否かを判定するステップと、前記判定の結果に基づき、前記撮影対象が人である場合に、撮影可否の問合せ情報を発し、該問合せ情報により撮影対象に撮影の可否を問うステップとを備えた構成である。
【００１６】
斯かる構成によれば、コンピュータが搭載されている電子機器では、人であるか否かの判定と、撮影の問合せ情報の発信との処理をプログラムにより実行させることができる。斯かるプログラムの実行により、被写体となる人には撮影されることの喚起、また、撮影者には盗撮を思い止まらせる契機になる。
【発明の効果】
【００１７】
本発明によれば、撮影機能を備える、携帯端末装置等の電子機器に関し、撮影対象が人である場合に、盗撮等、合意なき撮影からの被写体の防護機能が強化されるので、非合意による撮影防止に寄与する。
【発明を実施するための最良の形態】
【００１８】
〔第１の実施の形態〕
【００１９】
本発明の第１の実施の形態について、図１を参照して説明する。図１は、第１の実施の形態に係る携帯端末装置を示すブロック図である。
【００２０】
この携帯端末装置２は、カメラを搭載する等、撮影機能を備える電子機器の一例である。この携帯端末装置２は、撮影機能を備えるとともに、撮影の可否を問う問合せ情報を発し、被写体からの応答情報に基づいて、被写体の撮影の許可又は禁止、撮影画像の取込み又はその阻止をすることにより、盗撮や合意なき撮影の防止機能を強化している。
【００２１】
これらの機能を備える携帯端末装置２では、撮影画像取得部４、撮影制御部６、撮影画像格納部８、距離情報・生体情報取得部１０、撮影可否問合せ部１２、応答情報取得部１４、表示部１６、操作入力部１８等が備えられている。
【００２２】
撮影画像取得部４は、カメラ部を構成し、撮影対象から撮影画像を取得する。取得された撮影画像は、表示部１６に表示される。表示部１６はファインダーを兼ねており、撮影に当たっては、ユーザは、その表示画像を視認しながら被写体の特定、画角、撮影範囲等、撮影条件を決定する。この撮影画像取得部４で得られた撮影画像は、撮影対象が人であるか否かの判定に用いられる。
【００２３】
撮影制御部６は例えば、コンピュータで構成され、操作入力部１８から加えられる撮影開始入力等の操作入力を受け、撮影画像取得部４による画像取得、撮影画像格納部８への撮影画像の格納、その読出し又はその消去、その他、撮影可否問合せ部１２、応答情報取得部１４及び表示部１６等の制御を行う。この撮影制御部６には、ＣＰＵ（Central Processing Unit ）、ＲＯＭ（Read-Only Memory）、ＲＡＭ（Random-Access Memory）等が備えられ、ＣＰＵは演算制御、ＲＯＭには盗撮防止機能を含む撮影制御プログラム等が格納され、ＲＡＭには処理途上のデータが一時的に保管される。この場合、撮影制御部６は、撮影画像取得部４で取得された撮影画像、又は距離情報・生体情報取得部１０で取得された生体情報から撮影対象が人であるか否かを判定する対象判定部としての機能を備えている。この対象判定部の判定結果は、撮影の許可又は禁止の制御情報に用いられる。
【００２４】
撮影画像格納部８は、撮影画像を格納する記録媒体等で構成され、撮影画像取得部４で取得された撮影画像が格納される。そして、撮影対象が人である場合には、撮影許可が得られると、撮影動作が実行されることから、その撮影画像がこの撮影画像格納部８に格納される。
【００２５】
距離情報・生体情報取得部１０は、撮影対象から撮影画像とは別個に生体情報や、携帯端末装置２と撮影対象との間の距離を表す距離情報を取得する。生体情報は例えば、撮影対象から発せられる赤外線、その他の情報である。また、距離情報は、生体情報を発する撮影対象と携帯端末装置２との距離を表し、生体情報が発せられた位置を特定するための情報として用いられる。
【００２６】
撮影可否問合せ部１２は、撮影対象に対し、撮影可否の問合せ情報を発し、この問合せ情報により撮影対象に撮影の可否を問う。問合せ情報は例えば、問合せメッセージを表す音声である。この撮影可否問合せ部１２は、撮影対象が人である場合に問合せ情報を発する構成としてもよく、また、撮影対象が人であるか否かに無関係に問合せ情報を発する構成としてもよい。
【００２７】
応答情報取得部１４は、撮影可否問合せ部１２から発せられた問合せ情報に対し、撮影対象から発せられた応答情報を取得する。この応答情報は例えば、撮影対象から得られる音声である。この場合、問合せ情報に対し、撮影対象が反応することにより、撮影画像に生じる画像変化も応答情報として認識することができ、これを撮影画像取得部４で取得することが可能である。そこで、撮影画像取得部４から得られた撮影画像の変化は、この応答情報取得部１４で処理する構成としてもよい。
【００２８】
表示部１６は、撮影画像、制御情報、アイコン等を表示する。この表示部１６は例えば、ＬＣＤ（Liquid Crystal Display）で構成される。
【００２９】
操作入力部１８は例えば、キーボード等で構成され、撮影開始キーやシャッターキー等を備えている。
【００３０】
斯かる構成によれば、操作入力部１８の操作に基づき、距離情報・生体情報取得部１０が動作し、距離情報・生体情報取得部１０により、撮影対象から生体情報と距離情報とが取得される。生体情報により、対象判定部としての撮影制御部６では、撮影対象が人であるか否かが判定され、この判定結果に基づき、撮影対象が人である場合に、撮影可否の問合せ情報を発し、該問合せ情報により撮影対象に撮影の可否を問う。距離情報は生体情報が得られた位置の特定に参照され、位置の特定により、生体情報の信頼性が高められる。このような撮影対象に対し、問合せ情報を発する構成とすれば、撮影対象に対しては、撮影が行われることが喚起され、また、撮影者には、盗撮等、合意なき撮影行為を思い止まらせる契機となる。
【００３１】
また、撮影可否問合せ部１２から撮影可否の問合せ情報が発せられ、この問合せ情報により撮影対象に撮影の可否が問われるが、その際、撮影対象から発せられた応答情報は応答情報取得部１４に取得される。そこで、撮影制御部６では、問合せ情報に対応し、応答情報取得部１４が取得した応答情報を判定し、撮影対象の撮影を許可することを表す撮影許可情報、又は前記撮影対象の撮影を禁止することを表す撮影禁止情報を出力する。
【００３２】
撮影許可情報が出力された場合には、取得中の撮影画像は撮影画像格納部８に格納され、また、撮影禁止情報が出力された場合には、撮影動作が停止され、取得中の撮影画像は破棄され、撮影画像格納部８への格納処理が停止又は禁止される。斯かる構成とすることにより、撮影対象即ち、被写体が人である場合、無断撮影が防止されるとともに、取得中の撮影画像が破棄され、撮影が許可された場合のみ、その撮影画像を記録することができるので、人の肖像権が守られることになる。
【００３３】
次に、盗撮防止動作を含む撮影制御処理について、図２及び図３を参照して説明する。図２は、撮影制御方法及び撮影制御プログラムの一例である撮影制御動作を示すフローチャート、図３は、撮影制御方法及び撮影制御プログラムの一例である撮影の可否情報の取得動作を示すフローチャートである。
【００３４】
撮影開始は操作入力部１８の操作入力により実行され（ステップＳ１）、撮影対象が人であるか否かが判定され（ステップＳ２）、撮影対象が人でない場合には、撮影の可否情報の取得処理はなく、直ぐに撮影動作が実行される（ステップＳ３）。この撮影動作では、取得中の撮影画像が撮影画像格納部８に格納される。撮影終了か否かが監視され（ステップＳ４）、撮影終了でない場合には撮影動作が継続され、撮影動作が終了の場合にはステップＳ１に戻る。
【００３５】
撮影対象が人である場合には、撮影の可否情報の取得処理（ステップＳ５）の後、撮影許可があるか否かが判定され（ステップＳ６）、撮影許可の場合にはステップＳ３に移行して撮影動作が行われる。撮影不可の場合には撮影不可の処理が実行され（ステップＳ７）、ステップＳ１に戻る。撮影不可の場合には、取得中の撮影画像の破棄等、撮影画像の格納が禁止される。
【００３６】
このように撮影対象が人でない場合には、撮影動作に移行するのに対し、撮影対象が人である場合には、撮影の可否情報を取得し、撮影許可が得られた場合に撮影動作が実行される。
【００３７】
この処理において、ステップＳ５の撮影の可否情報の取得処理（サブルーチン）では、図３に示すように、撮影対象に対して問合せ情報を発信する（ステップＳ５１）。この問合せ情報は撮影可否問合せ部１２から発せられ、撮影の可否を問う例えば、音声メッセージである。この問合せ情報に対応し、撮影対象からの応答情報を取得する（ステップＳ５２）。この応答情報の取得は、応答情報取得部１４で行われる。また、撮影対象の確認情報として、生体情報や距離情報を取得する（ステップＳ５３）。この生体情報や距離情報の取得は距離情報・生体情報取得部１０で実行される。これらの情報の取得は、撮影制御部６によって制御され、これらの情報収集（ステップＳ５４）の後、撮影の可否が決定される。
【００３８】
このような処理により、撮影対象が人である場合には、被写体である人からの対応情報、生体情報及び距離情報を参照し、撮影許可が得られている場合には、撮影動作に移行し、撮影画像の取込み、格納等が行われ、撮影許可が得られない場合には、撮影動作を停止させる。
【００３９】
〔第２の実施の形態〕
【００４０】
本発明の第２の実施の形態について、図４及び図５を参照して説明する。図４は、第２の実施の形態に係る携帯端末装置を示すブロック図、図５は携帯端末装置の構成例を示す図である。図４及び図５において、図１に示す携帯端末装置２と同一部分には同一符号を付してある。
【００４１】
この携帯端末装置２において、撮影画像取得部４には、撮像部２０及び撮影画像処理回路２２等が備えられ、撮像部２０はカメラ機能部であって、例えば、ＣＣＤ（Charge Coupled device ）で構成され、この撮像部２０で取得された撮影画像は、撮影画像処理回路２２を通してディジタル処理されて撮影制御部６に加えられる。この場合、撮影画像処理回路２２は、撮影中の撮影画像を保持するためのＲＡＭ（Random-Access Memory）を備えている。この撮影画像は、表示部１６に表示され、オートフォーカス等の処理に用いられる。
【００４２】
撮影制御部６には第１の制御回路２４と、第２の制御回路２６とが備えられ、制御回路２４側で操作入力部１８の撮影開始キー２８の操作に基づき、撮影画像取得部４、距離情報・生体情報取得部１０、撮影可否問合せ部１２、応答情報取得部１４等の動作を開始させ、制御回路２６では、これらの回路からの取得情報を取り込み、撮影対象が人であるか否かの判定に用いられる。撮影対象が人であるか否かは、既存の顔検出ソフトウェア等を用いることにより、撮影画像から人体の顔画像の認識処理及びその有無により判定することが可能である。
【００４３】
撮影画像格納部８には、画像記録媒体３０が設置され、この画像記録媒体３０にはゲート回路３２を介して撮影画像処理回路２０が接続されている。ゲート回路３２は、撮影制御部６により導通状態又は遮断状態に制御され、このゲート回路３２が導通状態にあるとき、撮影画像処理回路２２の撮影画像が画像記録媒体３０に格納される。
【００４４】
距離情報・生体情報取得部１０には、赤外線センサ３４及び赤外線センサ回路３６が備えられている。赤外線センサ３４には、赤外線の発光素子３８及び受光素子４０が備えられている。発光素子３８には、制御回路２４からの駆動信号が駆動回路４２を通して加えられ、撮影開始キー２８の操作に対応して発光し、赤外線が撮影対象に照射される。また、撮影対象から受光素子４０で取得された赤外線は、温度検出回路４４及び距離検出回路４６に加えられる。温度検出回路４４では、受光赤外線から撮影対象が持つ生体情報として温度を検出し、距離検出回路４６では、発光素子３８から照射された既述の赤外線の反射赤外線を距離情報として検出する。温度検出回路４４の出力はアナログ・ディジタル変換器（Ａ／Ｄ）４８、また、距離検出回路４６の出力はＡ／Ｄ５０を通してディジタル信号に変換されて制御回路２６に加えられる。制御回路２６では、温度検出回路４４で検出された赤外線のスペクトルデータ等により、撮影対象が人であるか否かを判定する。また、赤外線の発光開始から受光までの時間により、携帯端末装置２と受光素子４０との距離が測定される。この距離情報は、撮影対象から得られる生体情報の発信位置の特定に用いられ、また、撮影対象から発せられた応答情報の位置の特定に用いられ、生体情報や応答情報の判断材料となる。
【００４５】
撮影可否問合せ部１２には音声発生回路５２及びスピーカ５４が備えられ、音声発生回路５２にはＲＯＭ５６、ＲＡＭ５８及びディジタル・アナログ変換器（Ｄ／Ａ）６０が備えられている。ＲＯＭ５６には問合せ情報である音声メッセージデータが格納され、ＲＡＭ５８にはその音声メッセージデータが読み込まれる。この音声メッセージデータはＤ／Ａ６０によりアナログ信号に変換された後、スピーカ５４から撮影問合せ情報として電子音で例えば、『カメラサツエイシマス、ヨロシイデスカ（カメラ撮影します、よろしいですか）』と出力される。この音声メッセージの出力タイミングは、撮影開始キー２８の押下タイミングと同時又はその一定時間後である。
【００４６】
また、応答情報取得部１４には音声認識回路６２及びマイクロフォン６４が備えられ、音声認識回路６２にはＲＯＭ６６、ＲＡＭ６８及びＡ／Ｄ７０が備えられている。マイクロフォン６４には撮影対象からの応答情報である撮影可否を表す音声を取得するため、指向性を持つマイクロフォンが用いられる。マイクロフォン６４で受信した音声は、Ａ／Ｄ７０でディジタル信号に変換され、その音声の音色や言語等のメッセージ情報の判定により、撮影対象から撮影許可が得られたか否かが判定される。
【００４７】
このような携帯端末装置２では、図５に示すように、２つの筐体部７２、７４がヒンジ部７６によって開閉可能に連結され、筐体部７２には操作入力部１８が備えられ、この操作入力部１８には撮影開始キー２８が含まれている。例えば、撮影開始キー２８を半押し状態で撮影モードが開始され、その撮影モード状態から撮影開始キー２８を全押し状態に移行させることで、シャッター機能を実現してもよい。また、筐体部７４には表示部１６が備えられるとともに、その背面側には撮像部２０、スピーカ５４、マイクロフォン６４及び赤外線センサ３４等が設置されている。
【００４８】
この携帯端末装置２の撮影制御動作について、図６を参照して説明する。図６は撮影制御方法及び撮影制御プログラムの一例である撮影制御動作を示すフローチャートである。
【００４９】
撮影開始キー２８が押されると（ステップＳ１１）、撮影対象が人か否かの判定が行われる（ステップＳ１２）。この判定には撮影画像が用いられ、撮影開始キー２８の押下により撮影対象から取得される撮影画像に人の顔が存在するか否かにより、撮影対象が人であるか否かが判定される。
【００５０】
撮影対象が人でない場合には、撮影の可否情報の取得動作はなく、直ぐに撮影動作が実行される（ステップＳ１３）。この撮影動作では、取得中の撮影画像が撮影画像格納部８に格納される。撮影終了か否かが監視され（ステップＳ１４）、撮影終了でない場合には撮影動作が継続され、撮影動作が終了の場合にはステップＳ１１に戻る。
【００５１】
撮影対象が人である場合には、撮影の可否情報の取得処理として、撮影対象に対してスピーカ５４から問合せ情報が発信され（ステップＳ１５）、この問合せ情報に対応し、マイクロフォン６４により撮影対象からの応答情報が取得され（ステップＳ１６）、また、撮影対象の確認情報として、赤外線センサ３４により撮影対象の温度や撮影対象との距離が検出される（ステップＳ１７）。これらの情報は、撮影制御部６に取り込まれ（ステップＳ１８）、撮影対象からの撮影許可があるか否かが判定される（ステップＳ１９）。撮影許可の場合にはステップＳ１３に移行して撮影動作が行われる。撮影不可の場合には撮影不可の処理が実行され（ステップＳ２０）、ステップＳ１１に戻る。撮影不可の場合には、取得中の撮影画像の破棄等、撮影画像の格納が禁止される。
【００５２】
即ち、スピーカ５４から発せられた音声に対し、撮影対象である人（被写体）からの応答情報として、指向性を有するマイクロフォン６４を通して得られる音声を音声認識回路６２を通して制御回路２６で内容が解析され、撮影許可が得られたかどうかを判断する。これらの処理において、撮影対象までの距離及び温度の測定結果は、撮影対象である人からの音声かどうかを判断するための判断材料となる。これにより、精度の高い判定が得られるとともに、撮影対象が人でない場合に撮影禁止状態となるのを抑制することができる。
【００５３】
この撮影処理では、例えば、図７に示すように、撮影開始キー２８の押下により、携帯端末装置２には撮影対象７８から撮影画像が取得されて表示部１６に表示される。この撮影画像の形態から撮影対象７８が人であるか否かが判断される。
【００５４】
その際、赤外線センサ３４の発光素子３８から赤外線８０が発せられ、その反射赤外線８２が受光素子４０に受光される。この赤外線８０と反射赤外線８２との時間差から距離Ｄが測定される。また、受光素子４０には、撮影対象７８が人である場合、その人から発せられる赤外線８４が温度情報（生体情報）として取り込まれ、撮影対象７８が人であるか否かの判断に用いられる。この場合、生体情報が得られた位置を特定する上で、距離Ｄが参照され、人であるか否かの判定精度が高められる。
【００５５】
そして、スピーカ５４から撮影の可否を問う問合せ情報８６が発せられ、撮影対象７８から発せられた応答音声（応答情報）８８をマイクロフォン６４で検出する。この応答音声の取得についても、距離Ｄが参照され、特定された人から発せられたものか否かの判断に用いられる。これにより、人であるか否かの特定と、撮影の許可を出す人であるか否かの特定の精度が向上することになる。
【００５６】
また、このような撮影動作において、スピーカ５４から撮影可否を問う問合せ情報が発せられた場合、表示部１６には、例えば、図８に示すように、問合せ情報の発信と同時に又はその発信に同期して音声メッセージを表す表示文字９０を撮影画像９２に重ねて表示してもよい。このように問合せ情報に対応する表示文字９０を表示すれば、撮影者に問合せ情報の発信を視認させることができるとともに、撮影者に合意なき撮影行為を思い止まらせる契機とすることができる。なお、９４は、撮影モードであることを表す撮影モード表示である。
【００５７】
〔第３の実施の形態〕
【００５８】
本発明の第３の実施の形態について、図９を参照して説明する。図９は、第３の実施の形態に係る撮影制御方法及び撮影制御プログラムの一例である撮影制御動作を示すフローチャートである。
【００５９】
この実施の形態では、撮影開始キー２８が押下されると、撮影モードに移行し（ステップＳ２１）、この撮影モードの移行と同時に、撮影対象に対し問合せ情報が発信される（ステップＳ２２）。前記実施の形態のステップＳ１２（図６）の処理が省略されている。撮影対象に対する問合せ情報に対し、撮影対象からの応答情報が監視され（ステップＳ２３）、撮影対象から応答情報が取得された場合には、その応答情報から撮影が許可されたか否かの判定を行い（ステップＳ２４）、撮影が許可された場合には、撮影動作に移行し（ステップＳ２５）、撮影が終了したか否かの判断（ステップＳ２６）の後、ステップＳ２１に戻る。また、ステップＳ２４で撮影が拒否された場合には、撮影不可の処理が行われ（ステップＳ２７）、ステップＳ２１に戻る。
【００６０】
ステップＳ２３において、撮影対象から応答情報が得られない場合には、撮影対象の確認処理が実行され（ステップＳ２８）、この処理として、既述のステップＳ１７（図６）等の処理が実行され、撮影対象が人であるか否かの判断（ステップＳ２９）の後、人である場合には、ステップＳ２７に移行し、撮影不可の処理が行われ、ステップＳ２１に戻る。また、撮影対象が人でない場合には、撮影動作（ステップＳ２５）、その終了（ステップＳ２６）の後、ステップＳ２１に戻る。
【００６１】
このように、撮影モードに移行した後、すぐに撮影の可否情報の取得処理を実行しても、前記実施の形態と同様に、盗撮や合意なき撮影等から被写体を防護することができ、合法的な撮影を行わせることができる。また、撮影対象から応答情報が取得できない場合に、撮影対象が人であるか否かを確認し、人である場合には、先の応答情報が得られていないことを優先して撮影不可とし、人でない場合には、撮影動作に移行させることから、撮影対象に対応した処理の信頼性が高められる。
【００６２】
〔第４の実施の形態〕
【００６３】
本発明の第４の実施の形態について、図１０及び図１１を参照して説明する。図１０は、第４の実施の形態に係る携帯端末装置の撮影の可否情報の取得動作を示すフローチャート、図１１の（Ａ）及び（Ｂ）は応答情報を取得するための撮影画像を示す図である。
【００６４】
撮影の可否情報の取得（ステップＳ５：図２）について、問合せ情報を発信し（ステップＳ３１）、応答情報としてマイクロフォン６４により応答音声（応答情報）８８の取得（ステップＳ３２）に対応し、撮像部２０から撮影画像９２の変化を取得する（ステップＳ３３）。撮影画像９２が得られている場合に、問合せ情報が発せられると、その問合せ情報に反応した撮影対象を表す撮影画像９２には、応答のための変化が生じるであろう。そこで、撮影対象の発声による応答音声８８と同時に撮影対象の動作を撮影画像９２の変化として捉えるものである。
【００６５】
この場合、図１１に示すように、撮影画像９２中の撮影対象７８（図７）を表す画像１００に対して変化検出部位１０２を設定し、この部位１０２において、例えば、唇や表情の変化を検出する。図１１の（Ａ）は、その変化前の画像１００であり、図１１の（Ｂ）は、変化後の画像１００である。このような変化検出部位１０２に生じる画像変化を検出すれば、その変化が問合せ情報に対応し、かつ応答情報と同時に生じていれば、応答情報を発した撮影対象７８を特定することができる。即ち、撮影許可の発信源と撮影対象７８（図７）とが一致しているか否かを見極めることができる。
【００６６】
この実施の形態では、撮影画像９２の変化を検出する部位１０２を設定したが、これは一例であり、目の動きや唇の動き等に追尾して検出する構成としてもよい。
【００６７】
〔第５の実施の形態〕
【００６８】
本発明の第５の実施の形態について、図１２を参照して説明する。図１２は、第５の実施の形態に係る携帯端末装置を示すブロック図である。図１２において、図１、図４に示す携帯端末装置と同一部分には同一符号を付してある。
【００６９】
この実施の形態では、操作入力部１８に撮影開始キー２８と別個にシャッターキー１０４が設置され、撮影開始キー２８で撮影動作を開始し、その動作開始の後、シャッターキー１０４の操作により、撮影画像９２がゲート回路３２を通して画像記録媒体３０に取り込まれる構成としたものである。
【００７０】
この場合、撮影開始キー２８の押下により、図２及び図３に示すフローチャートの処理が実行され、撮影対象が人である場合、その被写体である人から撮影許可が得られた場合にシャッターキー１０４の押下情報が取り込まれ、その際、その押下情報と撮影許可情報との双方によりゲート回路３２を導通状態に制御し、撮影画像を画像記録媒体３０に取り込むようにすればよい。
【００７１】
斯かる構成とすれば、既述した通り、撮影対象に対しては問合せ情報により撮影を喚起し、撮影者に対しては盗撮等の合意なき撮影行為を思い止まらせる契機を提供することができ、適法な撮影画像を画像記録媒体３０に取り込むことが可能となる。
【００７２】
〔第６の実施の形態〕
【００７３】
本発明の第６の実施の形態について、図１３を参照して説明する。図１３は、第６の実施の形態に係る携帯端末装置を示すブロック図である。図１３において、図１、図１２に示す携帯端末装置と同一部分には同一符号を付してある。
【００７４】
この実施の形態では、ゲート回路３２（図１、図１２）に代えて画像保持部としてのＲＡＭ１０６が設置され、このＲＡＭ１０６に撮影画像を保持させ、その撮影画像を制御回路２６の制御出力により、画像記録媒体３０に格納する構成としたものである。
【００７５】
斯かる構成によれば、撮影画像処理回路２２の内部メモリをＲＡＭ１０６で構成でき、ゲート回路３２を省略することができる。そして、撮影中にＲＡＭ１０６には、撮影画像９２（図１１）が保持され、この撮影画像９２が表示部１６に表示される。この撮影画像９２は、撮影許可情報が得られない限り、画像記録媒体３０に取り込まれることはなく、合意なき撮影画像９２が画像記録媒体３０に記録されることはない。
【００７６】
〔その他の実施の形態〕
【００７７】
(1)   上記実施の形態では、撮影機能を備える電子機器として携帯端末装置２を例示したが、本発明は、図１４に示すように、携帯情報端末機（ＰＤＡ：Personal Digital Assistant）１０８に適用してもよい。図１４において、図５に示す携帯端末装置２と同一部分には同一符号を付し、その説明を省略する。このようなＰＤＡ１０８についても、携帯端末装置２と同様に、撮影対象には問合せ情報により撮影を告知でき、撮影者には、盗撮や合意なき撮影行為を止めさせる契機とすることができる。
【００７８】
(2)   また、本発明は、図１５及び図１６に示すように、電子カメラ１１０に適用してもよい。図１５は、電子カメラ１１０を前面側から見た図、図１６は、電子カメラ１１０を背面側から見た図である。図１５及び図１６において、図５に示す携帯端末装置２と同一部分には同一符号を付し、その説明を省略する。このような電子カメラ１１０についても、携帯端末装置２と同様に、撮影対象には問合せ情報により撮影を告知でき、撮影者には、盗撮や合意なき撮影行為を止めさせる契機とすることができる。
【００７９】
(3)   上記実施の形態の画像記録媒体３０は、電子機器の内蔵メモリで構成してもよく、着脱可能な拡張メモリや外部記憶装置であってもよい。
【００８０】
(4)   上記実施の形態では、応答情報、生体情報を用いた人の判定、撮影可否の判定等の処理を撮影制御部６で実行する場合について説明したが、応答情報取得部１４、音声認識回路６２側で撮影対象が発した撮影可否を判断する構成とし、その判断結果を受けた撮影制御部６でゲート回路３２やＲＡＭ１０６を制御する構成としてもよい。
【００８１】
次に、以上述べた本発明の電子機器、その撮影制御方法及び撮影制御プログラムの各実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【００８２】
（付記１）  撮影機能を備える電子機器であって、
撮影対象が人であるか否かを判定する対象判定部と、
前記対象判定部の判定結果に基づき、前記撮影対象が人である場合に、撮影可否の問合せ情報を発し、該問合せ情報により撮影対象に撮影の可否を問う撮影問合せ部と、
を含むことを特徴とする電子機器。
【００８３】
（付記２）  撮影機能を備える電子機器であって、
撮影可否の問合せ情報を発し、該問合せ情報により撮影対象に撮影の可否を問う撮影問合せ部と、
前記撮影対象から発せられた応答情報を取得する応答情報取得部と、
前記問合せ情報に対応し、前記応答情報取得部が取得した前記応答情報に基づいて、前記撮影対象の撮影を許可することを表す撮影許可情報、又は前記撮影対象の撮影を禁止することを表す撮影禁止情報を出力する撮影制御部と、
を含むことを特徴とする電子機器。
【００８４】
（付記３）  付記１に記載の電子機器において、
前記撮影対象から撮影画像を取得する画像取得部を備え、
前記対象判定部は、前記画像取得部で取得された前記撮影画像から前記撮影対象が人であるか否かを判定する構成であることを特徴とする電子機器。
【００８５】
（付記４）  付記１に記載の電子機器において、
前記撮影対象から生体情報を取得する生体情報取得部を備え、
前記対象判定部は、前記生体情報取得部で取得された前記生体情報から、前記撮影対象が人であるか否かを判定する構成であることを特徴とする電子機器。
【００８６】
（付記５）  付記１に記載の電子機器において、
撮影対象に対して赤外線を照射し、前記撮影対象より赤外線を受光する赤外線センサを備え、
前記対象判定部は、前記赤外線センサの受光赤外線により人であるか否かを判定する構成であることを特徴とする電子機器。
【００８７】
斯かる構成によれば、生体から発せられる赤外線や生体の顔パターンから人であるか否かを判定することができる。赤外線の検出には、赤外線センサ３４が用いられ、生体の顔パターンの検出には、撮影画像取得部４を生体情報取得部に用いることができる。その場合、人であるか否かの判定は撮影制御部６で行う。
【００８８】
（付記６）  付記２に記載の電子機器において、
前記撮影対象の撮影画像を記録する記録媒体を備え、
前記撮影許可情報が得られた際に、前記記録媒体に前記撮影画像を記録させる構成であることを特徴とする電子機器。
【００８９】
（付記７）  付記２に記載の電子機器において、
前記撮影問合せ部がスピーカを備え、問合せメッセージを表す音声を前記問合せ情報として出力する構成であることを特徴とする電子機器。
【００９０】
（付記８）  付記２に記載の電子機器において、
前記応答情報取得部にマイクロフォンを備え、前記撮影対象から発せられた音声を前記応答情報として取得する構成であることを特徴とする電子機器。
【００９１】
斯かる構成において、マイクロフォンに指向性マイクロフォンを使用すれば、撮影対象から発せられた音声を選択的に取得することができる。
【００９２】
（付記９）  付記２に記載の電子機器において、
前記撮影対象から撮影画像を取得する画像取得部を備え、
前記応答情報取得部は、前記撮影問合せ部から発せられた前記問合せ情報に対応した前記撮影画像の変化を前記応答情報として取得する構成であることを特徴とする電子機器。
【００９３】
（付記１０）  撮影機能を備える電子機器の撮影制御方法であって、
撮影対象が人であるか否かを判定する処理と、
前記判定の結果に基づき、前記撮影対象が人である場合に、撮影可否の問合せ情報を発し、該問合せ情報により撮影対象に撮影の可否を問う処理と、
を備えたことを特徴とする電子機器の撮影制御方法。
【００９４】
（付記１１）  撮影機能を備える電子機器の撮影制御方法であって、
撮影可否の問合せ情報を発し、該問合せ情報により撮影対象に撮影の可否を問う処理と、
前記撮影対象から発せられた応答情報を取得する処理と、
前記問合せ情報に対応し、前記応答情報に基づいて、前記撮影対象の撮影を許可することを表す撮影許可情報、又は前記撮影対象の撮影を禁止することを表す撮影禁止情報を出力する処理と、
を含むことを特徴とする電子機器の撮影制御方法。
【００９５】
（付記１２）  付記１０に記載の電子機器の撮影制御方法において、
撮影対象から撮影画像を取得する処理と、
取得された撮影画像から前記撮影対象が人であるか否かを判定する処理と、
を含むことを特徴とする電子機器の撮影制御方法。
【００９６】
（付記１３）  付記１１に記載の電子機器の撮影制御方法において、
前記撮影許可情報が得られた際に、記録媒体に撮影画像を記録させる処理を含むことを特徴とする電子機器の撮影制御方法。
【００９７】
（付記１４）  コンピュータに実行され、撮影機能を備える電子機器の撮影制御プログラムであって、
撮影対象が人であるか否かを判定するステップと、
前記判定の結果に基づき、前記撮影対象が人である場合に、撮影可否の問合せ情報を発し、該問合せ情報により撮影対象に撮影の可否を問うステップと、
を備えたことを特徴とする電子機器の撮影制御プログラム。
【００９８】
（付記１５）  コンピュータに実行され、撮影機能を備える電子機器の撮影制御プログラムであって、
撮影可否の問合せ情報を発し、該問合せ情報により撮影対象に撮影の可否を問うステップと、
前記撮影対象から発せられた応答情報を取得するステップと、
前記問合せ情報に対応し、前記応答情報に基づいて、前記撮影対象の撮影を許可することを表す撮影許可情報、又は前記撮影対象の撮影を禁止することを表す撮影禁止情報を出力するステップと、
を含むことを特徴とする電子機器の撮影制御プログラム。
【００９９】
（付記１６）  付記１４に記載の電子機器の撮影制御プログラムにおいて、
撮影対象から撮影画像を取得するステップと、
取得された撮影画像から前記撮影対象が人であるか否かを判定するステップと、
を含むことを特徴とする電子機器の撮影制御プログラム。
【０１００】
（付記１７）  付記１５に記載の電子機器の撮影制御プログラムにおいて、
前記撮影許可情報が得られた際に、記録媒体に撮影画像を記録させるステップを含むことを特徴とする電子機器の撮影制御プログラム。
【０１０１】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１０２】
本発明は、撮影機能を備える、携帯端末装置等の電子機器に関し、撮影対象が人であるか否かを判定し、その撮影対象に対して問合せ情報を発信し、その応答情報に基づき、撮影の可否、撮影画像の取込みを決定するので、盗撮や合意なき撮影からの被写体の防護に寄与することができ、有用である。
【図面の簡単な説明】
【０１０３】
【図１】第１の実施の形態に係る携帯端末装置を示すブロック図である。
【図２】携帯端末装置の撮影制御動作を示すフローチャートである。
【図３】撮影の可否情報の取得動作を示すフローチャートである。
【図４】第２の実施の形態に係る携帯端末装置を示すブロック図である。
【図５】携帯端末装置の外観形態を示す図である。
【図６】携帯端末装置の撮影制御動作を示すフローチャートである。
【図７】携帯端末装置の撮影動作を示す図である。
【図８】撮影時の表示内容を示す図である。
【図９】第３の実施の形態に係る携帯端末装置の撮影制御動作を示すフローチャートである。
【図１０】第４の実施の形態に係る撮影の可否情報の取得動作を示すフローチャートである。
【図１１】応答情報に対応する撮影画像の変化の取得を示す図である。
【図１２】第５の実施の形態に係る携帯端末装置を示すブロック図である。
【図１３】第６の実施の形態に係る携帯端末装置を示すブロック図である。
【図１４】その他の実施の形態に係るＰＤＡを示す図である。
【図１５】その他の実施の形態に係る電子カメラを前面側から示した図である。
【図１６】その他の実施の形態に係る電子カメラを背面側から示した図である。
【符号の説明】
【０１０４】
２  携帯端末装置（電子機器）
４  撮影画像取得部
６  撮影制御部（対象判定部）
８  撮影画像格納部
１０  距離情報・生体情報取得部
１２  撮影可否問合せ部
１４  応答情報取得部
１８  操作入力部
２０  撮像部
２８  撮影開始キー
３０  画像記録媒体
３２  ゲート回路
３４  赤外線センサ
５４  スピーカ
６４  マイクロフォン
【図１】
2006352257.tif 000003
【図２】
2006352257.tif 000004
【図３】
2006352257.tif 000005
【図４】
2006352257.tif 000006
【図５】
2006352257.tif 000007
【図６】
2006352257.tif 000008
【図７】
2006352257.tif 000009
【図８】
2006352257.tif 000010
【図９】
2006352257.tif 000011
【図１０】
2006352257.tif 000012
【図１１】
2006352257.tif 000013
【図１２】
2006352257.tif 000014
【図１３】
2006352257.tif 000015
【図１４】
2006352257.tif 000016
【図１５】
2006352257.tif 000017
【図１６】
2006352257.tif 000018
【手続補正書】
【提出日】平成17年9月7日(2005.9.7)
【手続補正１】
【補正対象書類名】明細書
【補正対象項目名】００４３
【補正方法】変更
【補正の内容】
【００４３】
撮影画像格納部８には、画像記録媒体３０が設置され、この画像記録媒体３０にはゲート回路３２を介して撮影画像処理回路２２が接続されている。ゲート回路３２は、撮影制御部６により導通状態又は遮断状態に制御され、このゲート回路３２が導通状態にあるとき、撮影画像処理回路２２の撮影画像が画像記録媒体３０に格納される。